(57)【要約】【課題】胴内排出構成の画像形成装置であって、より一層の小型化、省スペース化を実現したとしても、操作者が排出部における記録シートを開口部から取り出す際の不都合を抑制することができる画像形成装置を提供する。【解決手段】入力操作部４０（４０ａ，４０ｂ）は、装置本体１１０の操作側から視て左右方向において第１操作部４１０と第２操作部４２０とに分割されており、第２操作部４２０が第１操作部４１０に対して位置変更されることによって、装置本体１１０の操作側から視て開口部Ｐａの少なくとも一部を遮蔽する第１状態と、開口部Ｐａの遮蔽量が第１状態の遮蔽量よりも小さくなるように開口部Ｐａの少なくとも一部を開放する第２状態とを呈する構成とされている胴内排出構成の画像形成装置１００。【選択図】図１１
2013125258.tif 000002
【特許請求の範囲】
【請求項１】
装置本体の上部に設けられて原稿の画像を読み取る画像読取部と、
前記装置本体の下部に設けられて前記画像読取部で読み取った画像を記録シートに形成する画像形成部と、
前記画像読取部及び前記画像読取部の間に挟まれて前記装置本体の操作側を開放した開口部を有する空間に前記画像形成部からの前記記録シートを排出する排出部と
を備えた胴内排出構成の画像形成装置であって、
前記装置本体の操作側に設けられて入力操作を受け付ける入力操作部を備え、
前記入力操作部は、前記装置本体の操作側から視て左右方向において第１操作部と第２操作部とに分割されており、前記第１操作部が前記装置本体に設けられて前記第２操作部が前記第１操作部に対して位置変更する構成とされており、前記第２操作部が前記第１操作部に対して位置変更されることによって、前記装置本体の操作側から視て前記開口部の少なくとも一部を遮蔽する第１状態と、前記開口部の遮蔽量が前記第１状態の遮蔽量よりも小さくなるように前記開口部の少なくとも一部を開放する第２状態とを呈する構成とされていることを特徴とする画像形成装置。
【請求項２】
請求項１に記載の画像形成装置であって、
前記入力操作部は、前記第２操作部が前記第１操作部に対してスライド移動する構成とされていることを特徴とする画像形成装置。
【請求項３】
請求項２に記載の画像形成装置であって、
前記入力操作部は、前記第２操作部が前記第１操作部に対して前記左右方向にスライド移動する構成とされており、
前記第２操作部は、前記第１操作部の前記左右方向の何れか一方側の位置で前記第１状態のときに表面が前記第１操作部の表面と揃いかつ前記第２状態のときに前記第１操作部の表側或いは表側とは反対側の裏側に重なる構成とされていることを特徴とする画像形成装置。
【請求項４】
請求項３に記載の画像形成装置であって、
前記第１操作部は、第１表示部を備え、前記第２操作部は、第２表示部を備え、
前記第２状態のときに、前記第１及び第２表示部のうち前記裏側に位置する表示部に表示される表示内容を前記表側に位置する表示部に表示させることを特徴とする画像形成装置。
【請求項５】
請求項４に記載の画像形成装置であって、
前記第２状態のときに、前記表側に位置する表示部に表示される前記第１状態での表示内容と前記裏側に位置する表示部に表示される前記第１状態での表示内容とを前記表側に位置する表示部に縮小して表示させる構成とされていることを特徴とする特徴とする画像形成装置。
【請求項６】
請求項４に記載の画像形成装置であって、
前記第２状態のときに、前記裏側に位置する表示部に表示される前記第１状態での表示内容を前記表側に位置する表示部に表示される前記第１状態での表示内容の空いているスペースに縮小して表示させる構成とされていることを特徴とする特徴とする画像形成装置。
【請求項７】
請求項４に記載の画像形成装置であって、
前記第２状態のときに、前記表側に位置する表示部に表示される前記第１状態での表示内容と前記裏側に位置する表示部に表示される前記第１状態での表示内容とを前記表側に位置する表示部に選択的に切り替えて表示させる構成とされていることを特徴とする特徴とする画像形成装置。
【請求項８】
請求項２に記載の画像形成装置であって、
前記入力操作部は、前記第２操作部が前記第１操作部に対して前記左右方向に直交する幅方向にスライド移動する構成とされており、
前記第２操作部は、前記第１操作部の前記左右方向の何れか一方側の位置で前記幅方向における両側面が前記第１状態のときに前記第１操作部の前記幅方向における両側面と揃いかつ前記第２状態のときに前記第１操作部の前記両側面に対して前記幅方向にずれる構成とされていることを特徴とする画像形成装置。
【請求項９】
請求項８に記載の画像形成装置であって、
前記第１操作部は、第１表示部を備え、前記第２操作部は、第２表示部を備え、
前記第２状態のときに、前記第２表示部に表示される表示内容を前記第１表示部に表示させることを特徴とする画像形成装置。
【請求項１０】
請求項９に記載の画像形成装置であって、
前記第２状態のときに、前記第１表示部に表示される前記第１状態での表示内容と前記第２表示部に表示される前記第１状態での表示内容とを前記第１表示部に縮小して表示させる構成とされていることを特徴とする特徴とする画像形成装置。
【請求項１１】
請求項９に記載の画像形成装置であって、
前記第２状態のときに、前記第２表示部に表示される前記第１状態での表示内容を前記第１表示部に表示される前記第１状態での表示内容の空いているスペースに縮小して表示させる構成とされていることを特徴とする特徴とする画像形成装置。
【請求項１２】
請求項９に記載の画像形成装置であって、
前記第２状態のときに、前記第１表示部に表示される前記第１状態での表示内容と前記第２表示部に表示される前記第１状態での表示内容とを前記第１表示部に選択的に切り替えて表示させる構成とされていることを特徴とする特徴とする画像形成装置。
【請求項１３】
請求項９から請求項１２までの何れか１項に記載の画像形成装置であって、
前記第２状態のときの前記第２表示部に表示される表示内容を当該画像形成装置の動作状態を示す表示内容とすることを特徴とする特徴とする画像形成装置。
【請求項１４】
請求項９から請求項１３までの何れか１項に記載の画像形成装置であって、
前記第２状態のときの前記第２表示部に表示される表示内容を前記第１状態のときに前記第１及び第２表示部に表示されていない表示内容とすることを特徴とする特徴とする画像形成装置。
【請求項１５】
請求項１から請求項１４までの何れか１項に記載の画像形成装置であって、
前記入力操作部は、前記第２状態のときに前記開口部を前記装置本体の操作側から視て全開放する構成とされていることを特徴とする画像形成装置。
【請求項１６】
請求項１から請求項１５までの何れか１項に記載の画像形成装置であって、
前記入力操作部は、前記第２操作部の前記第１操作部に対する前記第１状態及び前記第２状態を保持するロック構造を有していることを特徴とする画像形成装置。
【請求項１７】
請求項１から請求項１６までの何れか１項に記載の画像形成装置であって、
前記第１操作部は、入力操作を機械的に受け付けるハードウェアキーを備えていることを特徴とする画像形成装置。
【請求項１８】
請求項１から請求項１７までの何れか１項に記載の画像形成装置であって、
前記第１操作部は、前記装置本体に対して位置変更する構成とされていることを特徴とする画像形成装置。
【発明の詳細な説明】
【技術分野】
【０００１】
本発明は、複写機、ファクシミリ装置や複合機等の胴内排出構成の画像形成装置に関する。
【背景技術】
【０００２】
画像形成装置全体の小型化、省スペース化を実現するために、装置本体の上部に設けられた画像読取部と装置本体の下部に設けられた画像読取部との間に挟まれて装置本体の操作側を開放した開口部を有する空間に画像形成部からの記録シートが排出される排出部（所謂、胴内排出部）を備えた胴内排出構成の画像形成装置が従来から多く利用されている。
【０００３】
胴内排出構成の画像形成装置は、画像読取部や画像形成部などの構成要素自体の小型化を達成することで、画像形成装置全体をさらに小型化、省スペース化する工夫がなされてきたが、市場おいてはより一層の小型化、省スペース化が要求されている。
【０００４】
このため、胴内排出構成の画像形成装置のより一層の小型化、省スペース化を達成する観点から、近年、画像読取部や画像形成部などの構成要素以外に排出部の空間を狭く（具体的には上下方向の幅を小さく）する傾向にある。
【０００５】
胴内排出構成の画像形成装置において、排出部の空間を狭くすると、排出部に排出された記録シートが操作者から見えにくくなったり或いは排出部に排出された記録シートが操作者によって取りづらくなったりするといった、操作者が排出部における記録シートを開口部から取り出す際の不都合がある。
【０００６】
この点に関し、従来では、装置本体の操作側において、スライド機構によって入力操作部が装置本体の操作側から視て左右方向にスライドする画像形成装置（例えば、特許文献１，２参照）や、チルト機構によって入力操作部が装置本体に対して上下方向に揺動する画像形成装置（例えば、特許文献３，４参照）が提案されている。また、特許文献１には、入力操作部が左右方向にスライドして装置本体の操作側の幅よりも外側に位置する構成が提案されている（特許文献１の図９参照）
【先行技術文献】
【特許文献】
【０００７】
【特許文献１】特開２０１０−２２４３６８号公報
【特許文献２】特開２００５−２３４２２２号公報
【特許文献３】特開２００６−２１５５７８号公報
【特許文献４】特開２０１０−１０７６１２号公報
【発明の概要】
【発明が解決しようとする課題】
【０００８】
しかしながら、従来の画像形成装置では、装置本体の操作側において、たとえ入力操作部が左右方向にスライドしたり、或いは、上下方向に揺動したりしても、入力操作部が装置本体の操作側に位置する限り開口部を開放するには限界がある。
【０００９】
すなわち、胴内排出構成の画像形成装置の小型化、省スペース化が進んだとしも、装置本体に設けられた入力操作部（具体的には操作パネル）への操作者に対する入力操作の利便性や入力操作部に設けられた表示部に表示される表示画面の見やすさの要求は画像形成装置を小型化、省スペース化しない場合に比べて変わるわけではなく、画像形成装置を小型化、省スペース化したからといって、入力操作部を小型化できないのが実情である。
【００１０】
そうすると、胴内排出構成の画像形成装置の小型化、省スペース化が進むにつれて、それだけ排出部の空間の装置本体の操作側の開口部を遮ることとなり、操作者が排出部における記録シートを開口部から取り出す際の不都合がより一層顕著となる。なお、特許文献１に記載の如く、入力操作部が装置本体の操作側の幅よりも外側に位置することで、開口部を全開放できたとしても、入力操作部が装置本体の操作側の幅よりも外側に位置する分だけスペースが必要になるため、省スペース化を実現することができない。
【００１１】
そこで、本発明は、装置本体の上部に設けられた画像読取部と前記装置本体の下部に設けられた前記画像読取部との間に挟まれて前記装置本体の操作側を開放した開口部を有する空間に前記画像形成部からの前記記録シートが排出される排出部を備えた胴内排出構成の画像形成装置であって、より一層の小型化、省スペース化を実現したとしても、操作者が前記排出部における前記記録シートを前記開口部から取り出す際の不都合を抑制することができる画像形成装置を提供することを目的とする。
【課題を解決するための手段】
【００１２】
本発明は、前記課題を解決するために、装置本体の上部に設けられて原稿の画像を読み取る画像読取部と、前記装置本体の下部に設けられて前記画像読取部で読み取った画像を記録シートに形成する画像形成部と、前記画像読取部及び前記画像読取部の間に挟まれて前記装置本体の操作側を開放した開口部を有する空間に前記画像形成部からの前記記録シートを排出する排出部とを備えた胴内排出構成の画像形成装置であって、前記装置本体の操作側に設けられて入力操作を受け付ける入力操作部を備え、前記入力操作部は、前記装置本体の操作側から視て左右方向において第１操作部と第２操作部とに分割されており、前記第１操作部が前記装置本体に設けられて前記第２操作部が前記第１操作部に対して位置変更する構成とされており、前記第２操作部が前記第１操作部に対して位置変更されることによって、前記装置本体の操作側から視て前記開口部の少なくとも一部を遮蔽する第１状態と、前記開口部の遮蔽量が前記第１状態の遮蔽量よりも小さくなるように前記開口部の少なくとも一部を開放する第２状態とを呈する構成とされていることを特徴とする画像形成装置を提供する。
【００１３】
本発明によると、前記装置本体の操作側から視て前記左右方向において前記第１操作部と前記第２操作部とに分割された前記入力操作部は、前記第２操作部が前記第１操作部に対して位置変更されることによって、前記装置本体の操作側から視て前記開口部の少なくとも一部を遮蔽する前記第１状態と、前記開口部の遮蔽量が前記第１状態の遮蔽量よりも小さくなるように前記開口部の少なくとも一部を開放する前記第２状態とを呈する構成とされているので、より一層の小型化、省スペース化を実現したとしても、前記排出部に排出された前記記録シートが操作者から見えにくくなったり或いは前記排出部に排出された前記記録シートが操作者によって取りづらくなったりするといった、操作者が前記排出部における前記記録シートを前記開口部から取り出す際の不都合を抑制することが可能となる。
【００１４】
本発明において、前記入力操作部は、前記第２操作部が前記第１操作部に対してスライド移動する構成とされている態様を例示できる。
【００１５】
この特定事項では、操作者に対して前記第２操作部の前記第１操作部に対するスライド移動操作を行わせることができる。
【００１６】
本発明において、具体的な構成として、例えば、次の第１態様及び第２態様の構成を挙げることができる。
【００１７】
（ａ）第１態様
前記入力操作部は、前記第２操作部が前記第１操作部に対して前記左右方向にスライド移動する構成とされており、前記第２操作部は、前記第１操作部の前記左右方向の何れか一方側の位置で前記第１状態のときに表面が前記第１操作部の表面と揃いかつ前記第２状態のときに前記第１操作部の表側或いは表側とは反対側の裏側に重なる構成とされている態様。
【００１８】
前記第１態様では、前記開口部の遮蔽量を小さくする或いはなくすことができ、それだけ容易に操作者に対して前記記録シートの前記開口部からの取り出し操作を行わせることが可能となる。
【００１９】
前記第１態様において、前記第１操作部は、第１表示部を備え、前記第２操作部は、第２表示部を備え、前記第２状態のときに、前記第１及び第２表示部のうち前記裏側に位置する表示部に表示される表示内容を前記表側に位置する表示部に表示させる態様を例示できる。
【００２０】
この特定事項では、前記第２状態のときに、前記裏側に位置する表示部に表示される表示内容を操作者に良好に視認させることが可能となる。
【００２１】
また、前記第１態様において、前記第２状態のときに、前記表側に位置する表示部に表示される前記第１状態での表示内容と前記裏側に位置する表示部に表示される前記第１状態での表示内容とを前記表側に位置する表示部に縮小して表示させる構成とされている態様を例示できる。
【００２２】
この特定事項では、前記第１表示部及び前記第２表示部に表示される表示内容の配置状態を維持したままで該表示内容を操作者に視認させることが可能となる。
【００２３】
また、前記第１態様において、前記第２状態のときに、前記裏側に位置する表示部に表示される前記第１状態での表示内容を前記表側に位置する表示部に表示される前記第１状態での表示内容の空いているスペースに縮小して表示させる構成とされている態様を例示できる。
【００２４】
この特定事項では、前記表側に位置する表示部に表示される表示内容の空いているスペースを利用して前記第１表示部及び前記第２表示部に表示される表示内容の大きさを維持したままで該表示内容を操作者に視認させることが可能となる。
【００２５】
また、前記第１態様において、前記第２状態のときに、前記表側に位置する表示部に表示される前記第１状態での表示内容と前記裏側に位置する表示部に表示される前記第１状態での表示内容とを前記表側に位置する表示部に選択的に切り替えて表示させる構成とされている態様を例示できる。
【００２６】
この特定事項では、前記第１表示部及び前記第２表示部に表示される表示内容の大きさを維持したままで該表示内容を操作者に視認させることが可能となる。
【００２７】
（ｂ）第２態様
前記入力操作部は、前記第２操作部が前記第１操作部に対して前記左右方向に直交する幅方向にスライド移動する構成とされており、前記第２操作部は、前記第１操作部の前記左右方向の何れか一方側の位置で前記幅方向における両側面が前記第１状態のときに前記第１操作部の前記幅方向における両側面と揃いかつ前記第２状態のときに前記第１操作部の前記両側面に対して前記幅方向にずれる構成とされている態様。
【００２８】
前記第２態様では、操作者に対して前記第２操作部の前記第１操作部に対する前記幅方向のスライド移動操作を行わせることにより前記第１操作部に対して前記第２操作部を前記幅方向にずらすことができる。これにより、前記開口部の遮蔽量を小さくする或いはなくすことができ、それだけ容易に操作者に対して前記記録シートの前記開口部からの取り出し操作を行わせることが可能となる。
【００２９】
前記第２態様において、前記第１操作部は、第１表示部を備え、前記第２操作部は、第２表示部を備え、前記第２状態のときに、前記第２表示部に表示される表示内容を前記第１表示部に表示させる態様を例示できる。
【００３０】
この特定事項では、前記第２状態のときに、前記第２表示部に表示される表示内容を良好に操作者に視認させることが可能となる。
【００３１】
また、前記第２態様において、前記第２状態のときに、前記第１表示部に表示される前記第１状態での表示内容と前記第２表示部に表示される前記第１状態での表示内容とを前記第１表示部に縮小して表示させる構成とされている態様を例示できる。
【００３２】
この特定事項では、前記第１表示部及び前記第２表示部に表示される表示内容の配置状態を維持したままで該表示内容を操作者に視認させることが可能となる。
【００３３】
また、前記第２態様において、前記第２状態のときに、前記第２表示部に表示される前記第１状態での表示内容を前記第１表示部に表示される前記第１状態での表示内容の空いているスペースに縮小して表示させる構成とされている態様を例示できる。
【００３４】
この特定事項では、前記第１表示部に表示される表示内容の空いているスペースを利用して前記第１表示部及び前記第２表示部に表示される表示内容の大きさを維持したままで該表示内容を操作者に視認させることが可能となる。
【００３５】
また、前記第２態様において、前記第２状態のときに、前記第１表示部に表示される前記第１状態での表示内容と前記第２表示部に表示される前記第１状態での表示内容とを前記第１表示部に選択的に切り替えて表示させる構成とされている態様を例示できる。
【００３６】
この特定事項では、前記第１表示部及び前記第２表示部に表示される表示内容の大きさを維持したままで該表示内容を操作者に視認させることが可能となる。
【００３７】
また、前記第２態様において、前記第２状態のときの前記第２表示部に表示される表示内容を当該画像形成装置の動作状態を示す表示内容とする態様を例示できる。
【００３８】
この特定事項では、前記第２状態のときに当該画像形成装置の動作状態を操作者に視認させることが可能となる。
【００３９】
また、前記第２態様において、前記第２状態のときの前記第２表示部に表示される表示内容を前記第１状態のときに前記第１及び第２表示部に表示されていない表示内容とする態様を例示できる。
【００４０】
この特定事項では、前記第２状態のときに前記第１及び第２表示部に表示されていない表示内容を操作者に報知することが可能となる。
【００４１】
本発明において、前記入力操作部は、前記第２状態のときに前記開口部を前記装置本体の操作側から視て全開放する構成とされている態様を例示できる。
【００４２】
この特定事項では、操作者に対して前記排出部における前記記録シートの前記開口部からの取り出し操作を確実に行わせることが可能となる。
【００４３】
本発明において、前記入力操作部は、前記第２操作部の前記第１操作部に対する前記第１状態及び前記第２状態を保持するロック構造を有している態様を例示できる。
【００４４】
この特定事項では、前記第１操作部に対する前記第２操作部の前記第１状態及び前記第２状態をロックした状態で操作者に対して前記入力操作部への操作を確実に行わせることが可能となる。
【００４５】
本発明において、前記第１操作部は、入力操作を機械的に受け付けるハードウェアキーを備えている態様を例示できる。
【００４６】
この特定事項では、前記装置本体に設けられた前記第１操作部が前記ハードウェアキーを備えていることから、該ハードウェアキーによる安定した入力操作を実現することが可能となる。
【００４７】
本発明において、前記第１操作部は、前記装置本体に対して位置変更する構成とされている態様を例示できる。
【００４８】
この特定事項では、前記開口部に対する前記入力操作部の位置関係を変更することが可能となる。
【発明の効果】
【００４９】
以上説明したように、本発明によると、装置本体の上部に設けられた画像読取部と装置本体の下部に設けられた画像読取部との間に挟まれて装置本体の操作側を開放した開口部を有する空間に前記画像形成部からの前記記録シートが排出される排出部を備えた胴内排出構成の画像形成装置であって、より一層の小型化、省スペース化を実現したとしても、操作者が前記記録シートを前記排出部から取り出す際の不都合を抑制することができる画像形成装置を提供することができる。
【図面の簡単な説明】
【００５０】
【図１】画像形成装置の概観を示す概略図であって、（ａ）は、画像形成装置の正面図であり、（ｂ）は、画像形成装置の左側面図である。
【図２】画像形成装置の概観を示す概略図であって、（ａ）は、画像形成装置の右側面図であり、（ｂ）は、（ａ）において、入力操作部における第１操作部が揺動する状態を示す図である
【図３】画像形成装置における画像読取部及び画像形成部部分の構成要素を透視して示す概略正面図である。
【図４】第１実施形態に係る入力操作部を示す概略構成図であって、（ａ）は、第１状態での入力操作部の正面図であり、（ｂ）は、第１状態での入力操作部の背面図である。
【図５】図４に示す入力操作部におけるスライド構造を示す概略構成図であって、（ａ）は、第１状態での入力操作部の正面図であり、（ｂ）は、第１状態（実線線）及び第２状態（想像線）での入力操作部の底面図であり、（ｃ）は、（ｂ）に示す入力操作部における第１から第３スライド溝の左右方向の一方側端部を示す底面図である。
【図６】第２実施形態に係る入力操作部を示す概略構成図であって、（ａ）は、第２状態での入力操作部の正面図であり、（ｂ）は、第２状態での入力操作部の平面図である。
【図７】第２実施形態に係る入力操作部の第２操作部を第１操作部に対してスライドさせるスライド部材を示す概略構成図であって、（ａ）は、スライド部材部分を拡大して示す底面図であり、（ｂ）は、スライド部材におけるロック構造部分を一つの図で示す断面図であり、（ｃ）は、スライド部材を示す側面図である。
【図８】図１に示す画像形成装置における制御部の表示制御の一例を中心に示すシステムブロック図である。
【図９】第１状態での第１及び第２表示部の表示画面の一例を示す平面図である。
【図１０】第１表示部の表示内容の各例を説明するための平面図であって、（ａ）は、第２状態での第１表示部の表示画面の一例を示す図であり、（ｂ）は、第２状態での第１表示部の表示画面の他の例を示す図であり、（ｃ）は、第２状態での第１表示部の表示画面のさらに他の例を示す図あり、（ｄ）は、第２状態での第２表示部の表示画面の一例を示す図ある。
【図１１】第１及び第２実施形態において第２状態での画像形成装置を説明するための図であって、（ａ）及び（ｂ）は、それぞれ、第１実施形態の正面図及び側面図であり、（ｃ）及び（ｄ）は、それぞれ、第２実施形態の正面図及び側面図である。
【発明を実施するための形態】
【００５１】
以下、本発明に係る実施の形態について図面を参照しながら説明する。なお、以下に示す実施の形態は、本発明を具体化した例であって、本発明の技術的範囲を限定する性格のものではない。
【００５２】
［画像形成装置の全体構成について］
図１及び図２は、画像形成装置１００の概観を示す概略図である。図１（ａ）は、画像形成装置１００の正面図であり、図１（ｂ）は、画像形成装置１００の左側面図である。図２（ａ）は、画像形成装置１００の右側面図であり、図２（ｂ）は、図２（ａ）において、入力操作部４０における第１操作部４１０が揺動する状態を示す図である。また、図３は、画像形成装置１００における画像読取部１０及び画像形成部２０部分の構成要素を透視して示す概略正面図である。
【００５３】
図１に示す画像形成装置１００は、複写機機能、ファクシミリ機能、プリンタ機能等の多機能を有する複合機とされている。画像形成装置１００では、複写機やプリンタ等として用いられる場合、外部から伝達された画像情報に応じて、記録用紙等の記録シートＳ（図３参照）に対して単色の画像を形成する。
【００５４】
画像形成装置１００は、胴内排出構成のものとされており、原稿Ｇ（図３参照）の画像を読み取って画像データを出力する画像読取部１０と、画像読取部１０から出力された画像データ及び外部から受信した画像データに基づいて記録シートＳに画像を形成する画像形成部２０と、画像形成部２０からの記録シートＳを排出する排出部３０と、入力操作を受け付ける入力操作部４０と、画像形成装置１００全体の動作を制御するための制御部５０（後述する図８参照）と、給紙部６０と、搬送経路７０とを備えている。
【００５５】
画像読取部１０は、画像形成装置１００の装置本体１１０における上下方向Ｚ（図中の矢印方向）の上部に設けられている。画像読取部１０は、原稿Ｇに対して光を照射してスキャナ部（図示せず）又は原稿Ｇ（この例は原稿Ｇ）を副走査方向（図３中の矢印Ｙ１方向）に相対的に移動させつつ原稿Ｇから反射した画像光を主走査方向（奥行き方向Ｘ、図中の矢印方向）に読み取り、読み取った画像光を光電変換部１９（図３参照）にて画像データとして電気信号に変換する。
【００５６】
画像形成部２０は、装置本体１１０の下部に設けられている。画像形成部２０は、画像読取部１０で原稿Ｇの画像光が読み取られて変換された画像データに基づいて画像を記録シートＳに形成する。
【００５７】
装置本体１１０には、画像読取部１０及び画像形成部２０の間に挟まれて装置本体１１０の操作側（操作者が入力操作部４０に対して入力操作を行う側）を開放した開口部Ｐａを有する空間Ｐ（図１及び図３参照）が設けられている。
【００５８】
そして、排出部３０は、画像読取部１０及び画像形成部２０の間に挟まれた空間Ｐに画像形成部２０からの記録シートＳを排出する胴内排出部とされている。排出部３０は、空間Ｐにおいて画像形成部２０の上面を構成する排出トレイ３１（図１及び図３参照）を備えている。
【００５９】
入力操作部４０は、装置本体１１０の正面側（操作側）における上部の正面から視た左右方向（図中の矢印Ｙ）の一端部（ここでは右側端部）に設けられている。入力操作部４０は、操作者による指示操作、選択操作等の入力操作を受け付ける構成とされている。入力操作部４０は、入力操作された各種処理情報を表示する表示部（具体的には表示パネル）４１を備えている（図１（ａ）及び図２参照）。なお、入力操作部４０については、のちほど詳しく説明する。
【００６０】
次に、図３を参照しつつ記録シートＳに画像を形成する画像形成動作の説明を行いながら画像形成装置１０の内部構成を説明する。
【００６１】
画像形成装置１００では、画像形成動作を行うにあたり、画像読取部１０における原稿送り装置１１の原稿セットトレイ１２に原稿Ｇがセットされると、原稿有無検知センサ等の原稿有無検知部１３が原稿Ｇのセットされたことを検知し、原稿サイズ検知センサ等の原稿サイズ検知部（図示省略）が原稿Ｇのサイズを検知する。そして、入力操作部４０が操作者の入力操作を受け付けることにより、記録シートＳのサイズ及び変倍率等が入力設定される。その後、入力操作部４０に入力された操作内容に応じて画像形成動作開始の指示がなされる。
【００６２】
画像読取部１０では、操作者による入力操作部４０への入力操作に応答して、ピックアップローラ１４により原稿セットトレイ１２上の原稿Ｇを１枚ずつ引出し、原稿Ｇを捌き部材１５（具体的には捌きローラ）及び搬送ローラ１６間を介して原稿読み取りガラス１７へと送り出し、原稿Ｇを原稿読み取りガラス１７上で副走査方向Ｙ１に搬送して原稿排出トレイ１８へと排出する。このとき、光電変換部１９によって原稿Ｇの表面の画像が読み取られる。光電変換部１９は、ここでは、ＬＥＤアレイや蛍光灯等の光源を含み、かつ、原稿Ｇの裏面を照射する露光ランプと、画素毎に原稿Ｇの反射光を集光するレンズアレイと、レンズアレイを通じて受光した原稿Ｇの反射光を光電変換してアナログの画像信号を出力する密着イメージセンサ（ＣＩＳ：Contact Image Sensor）とを備えている。光電変換部１９は、露光ランプにより原稿Ｇの表面を照射し、原稿Ｇの反射光をレンズアレイにより密着イメージセンサに集光させ、原稿Ｇの表面の画像を密着イメージセンサ上に結像させて画像データとして読み取る。
【００６３】
なお、画像読取部１０は、第１走査ユニット、第２走査ユニット、結像レンズ及び光電変換素子として作用するＣＣＤ等の撮像素子を備え、第１走査ユニット及び第２走査ユニットを相互に所定の速度関係を維持しつつ副走査方向の一方側に移動させ、第１走査ユニットによって原稿台ガラス上の原稿を露光し、第１走査ユニット及び第２の走査ユニットによって原稿からの反射光を結像レンズへと導き、結像レンズによって原稿の画像を撮像素子上に結像させて原稿の表面の画像を読み取ってもよい。この場合、撮像素子及び密着イメージセンサによって、原稿の両面の画像を読み取ることができる。
【００６４】
このようにして原稿Ｇの画像が読み取られると、原稿Ｇの画像を示す画像データがマイクロコンピュータを含む制御部５０（図８参照）に入力され、ここで画像データに各種の画像処理が施され、この画像データが画像形成部２０へと出力される。
【００６５】
画像形成部２０は、画像データによって示される原稿Ｇの画像を記録シートＳに印刷するものであって、感光体ドラム２１、帯電装置２２、レーザスキャンユニット（ＬＳＵ）２３、現像装置２４、転写装置２５、クリーニング装置２６、定着装置２７及び図示しない除電装置を備えている。
【００６６】
また、画像形成部２０には、給紙部６０から送られてきた記録シートＳが搬送経路７０に沿って搬送される。給紙部６０は、シートカセット６１に収納された記録シートＳを１枚ずつ引き出して画像形成部２０の搬送経路７０へと送り出す。
【００６７】
装置本体１１０は、搬送経路７０に沿って記録シートＳを搬送している途中で、記録シートＳに対して感光体ドラム２１で形成されたトナー像を転写装置２５によって転写させ、さらに定着装置２７によって定着させることで印刷処理を行う。
【００６８】
詳しくは、感光体ドラム２１は、一方向に回転駆動され、除電装置により除電された表面がクリーニング装置２６によりクリーニングされた後、帯電装置２２により均一に帯電される。ＬＳＵ２３は、画像読取部１０からの画像データに基づいてレーザ光を変調し、変調したレーザ光によって感光体ドラム２１の表面を主走査方向に繰り返し走査して、感光体ドラム２１の表面に静電潜像を形成する。現像装置２４は、トナーを感光体ドラム２１の表面に供給して静電潜像を現像（顕像化）し、感光体ドラム２１の表面にトナー像を形成する。転写装置２５は、感光体ドラム２１上に形成されたトナー像を感光体ドラム２１との間を通過する記録シートＳに転写する。定着装置２７は、トナー像が形成された記録シートＳを加熱及び加圧して記録シートＳ上のトナー像を記録シートＳに定着させる。こうして、画像形成装置１００は、一連の印刷動作を完了する。
【００６９】
なお、本実施の形態に係る画像形成装置１００は、モノクロ画像を形成する画像形成装置としたが、カラー画像を形成する画像形成装置としてもよい。
【００７０】
（入力操作部）
次に、画像形成装置１００に備えられた入力操作部４０の構成について、以下に詳しく説明する。
【００７１】
入力操作部４０は、装置本体１１０の操作側から視て左右方向Ｙにおいて第１操作部４１０と第２操作部４２０とに分割されている。
【００７２】
第１操作部４１０は、装置本体１１０の左右方向Ｙの一方側（ここでは右側）端部に設けられている（図１（ａ）及び図３参照）。第２操作部４２０は、第１操作部４１０に対して位置変更する構成とされている。
【００７３】
そして、第１操作部４１０は、第２操作部４２０が第１操作部４１０に対して位置変更されることによって、装置本体１１０の操作側から視て開口部Ｐａの少なくとも一部を遮蔽する第１状態と、開口部Ｐａの遮蔽量が第１状態の遮蔽量よりも小さくなるように開口部Ｐａの少なくとも一部を開放する第２状態とを呈する構成とされている。
【００７４】
具体的には、第１操作部４１０は、入力操作を機械的に受け付ける複数のハードウェアキー４１ａ，…を備えている。複数のハードウェアキー４１ａ，…は、押圧しているときだけオンする押しボタンスイッチとされている。複数のハードウェアキー４１ａ，…は、テンキー、画像形成動作の開始を指示するスタートキー、入力操作の受け付け内容をリセットするクリアーキーを含んでいる。
【００７５】
また、第１操作部４１０は、正面から視て四角形状のものとされており、四角形状の第１表示部４１１を備えている。また、第２操作部４２０は、正面から視て四角形状のものとされており、四角形状の第２表示部４２１を備えている。第１表示部４１１及び第２表示部４２１で入力操作部４０の表示部４１を構成している。
【００７６】
具体的には、第１表示部４１１及び第２表示部４２１は、画像形成装置１００の操作画面を表示する。第１表示部４１１及び第２表示部４２１は、それぞれ、第１操作部４１０及び第２操作部４２０の上面に設けられている。第１表示部４１１及び第２表示部４２１は、表示装置（例えば液晶ディスプレイ装置）を備えており、画像形成装置１００の動作状況、操作者によって入力された設定値等の操作情報を表示する。本実施の形態では、第１表示部４１１及び第２表示部４２１における表示装置は、画面上に表示して入力操作をソフトウェア的に受け付ける複数のソフトウェアキーへの操作者の入力操作（例えばタッチ操作）により各種の選択操作を受け付けるようにした入力装置（具体的にはタッチパネル）を備えたタッチパネル一体型の表示装置（所謂タッチパネルディスプレイ）とされている。
【００７７】
本実施の形態では、入力操作部４０は、第１操作部４１０に対して第２操作部４２０がスライド移動する構成とされている。
【００７８】
また、本実施の形態では、入力操作部４０は、第２状態のときに開口部Ｐａを装置本体１１０の操作側から視て全開放する構成とされている（後述する図１１（ａ）及び図１１（ｃ）参照）。
【００７９】
また、第１操作部４１０は、装置本体１１０に対して固定されていてもよいが、本実施の形態では、装置本体１１０に対して位置変更する構成とされている（図２（ｂ）参照）。詳しくは、画像形成装置１００は、第１操作部４１０がチルト機構を介して装置本体１１０に対して揺動可能に設けられている（図２（ｂ）参照）。具体的には、第１操作部４０は、装置本体１１０に左右方向Ｙに沿って設けられた回動軸Ｑ回りに回動自在とされている。第１操作部４１０は、図示を省略した保持機構によって傾斜姿勢が段階的に保持されるようになっていてもよい。
【００８０】
なお、第１操作部４１０は、チルト機構を介して装置本体１１０に対して揺動可能に設けられている構成に代えて、或いは、加えて、スライド機構を介して装置本体１１０に対して左右方向Ｙに往復移動自在に設けられていてもよい。この場合、入力操作部４０は、チルト機構及び／又はスライド機構による入力操作部４０の揺動方向（図２（ｂ）の矢印Ｔ）及び／又は左右方向Ｙの位置の位置に拘わらず、第１状態及び第２状態を満たす構成とされている。具体的には、画像形成装置１００がチルト機構を備えている場合、入力操作部４０は、チルト機構によって開口部Ｐａが最も開放した位置を基準として第１状態及び第２状態を満たし、かつ、開口部Ｐａが最も閉塞した位置を基準として第１状態及び第２状態を満たす構成とされている。画像形成装置１００がスライド機構を備えている場合、入力操作部４０は、スライド機構によって開口部Ｐａが最も開放した位置を基準として第１状態及び第２状態を満たし、かつ、開口部Ｐａが最も閉塞した位置を基準として第１状態及び第２状態を満たす構成とされている。また、画像形成装置１００がチルト機構及びスライド機構の双方を備えている場合、入力操作部４０は、チルト機構及びスライド機構の双方によって開口部Ｐａが最も開放した位置を基準として第１状態及び第２状態を満たし、かつ、開口部Ｐａが最も閉塞した位置を基準として第１状態及び第２状態を満たす構成とされている。
【００８１】
次に、入力操作部４０において第１操作部４１０に対する第２操作部４２０のスライド方向を異ならせた構成について第１実施形態及び第２実施形態に分けて以下に説明する。
【００８２】
（第１実施形態）
図４は、第１実施形態に係る入力操作部４０（４０ａ）を示す概略構成図である。図４（ａ）は、第１状態での入力操作部４０ａの正面図であり、図４（ｂ）は、第１状態での入力操作部４０ａの背面図である。図５は、図４に示す入力操作部４０（４０ａ）におけるスライド構造を示す概略構成図である。図５（ａ）は、第１状態での入力操作部４０ａの正面図であり、図５（ｂ）は、第１状態（実線線）及び第２状態（想像線）での入力操作部４０ａの底面図であり、図５（ｃ）は、図５（ｂ）に示す入力操作部４０ａにおける第１から第３スライド溝４４１〜４４３の左右方向Ｙの一方側Ｙ１端部を示す底面図である。
【００８３】
入力操作部４０（４０ａ）は、第２操作部４２０が第１操作部４１０に対して左右方向Ｙにスライド移動する構成とされている。
【００８４】
詳しくは、第２操作部４２０は、第１操作部４１０の左右方向Ｙの何れか一方側Ｙ２（ここでは左側）の位置で第１状態のときに表面４２０ａ（図５（ｂ）参照）が第１操作部４１０の表面４１０ａ（図５（ｂ）参照）と揃っている。ここで、第１操作部４１０の表面４１０ａは、厚み方向（図４及び図５中の矢印Ｖ）における一方側（具体的には表示側）の面であり、第２操作部４２０の表面４２０ａは、厚み方向Ｖにおける一方側（具体的には表示側）の面である。なお、第２操作部４２０は、第１状態のときに表面４２０ａとは反対側の裏面４２０ｂが第１操作部４１０の表面４１０ａとは反対側の裏面４１０ｂと揃っている。
【００８５】
また、第２操作部４２０は、第１状態から左右方向Ｙの一方側Ｙ１にスライド移動して第２状態になると表面４２０ａが第１操作部４１０の裏面４１０ｂと対向するように、或いは、裏面４２０ｂが第１操作部４１０の表面４１０ａと対向するように重なる構成とされている。ここでは、第２操作部４２０は、第１状態から右側にスライド移動して第２状態になると表面４２０ａが第１操作部４１０の裏面４１０ｂと対向するように重なる構成とされている。
【００８６】
また、第２操作部４２０は、第２状態において、左右方向Ｙの他方側Ｙ２（ここでは左側）の端面４２０ｅが第１操作部４１０における左右方向Ｙの他方側Ｙ２（ここでは左側）の端面４１０ｅと揃っている。なお、第２操作部４２０は、第２状態において、左右方向Ｙの他方側Ｙ２の端面４２０ｅが第１操作部４１０における左右方向Ｙの他方側Ｙ２の端面４１０ｅよりも内側（一方側Ｙ１）に位置していていもよい。
【００８７】
具体的には、入力操作部４０（４０ａ）は、装置本体１１０に設けられて第１操作部４１０を支持する操作部支持部材４３０を備えている。すなわち、第１実施形態では、第１操作部４１０は、操作部支持部材４３０を介して装置本体１１０に設けられている。
【００８８】
操作部支持部材４３０は、第１操作部４１０の表側又は裏側（ここでは裏側）に第２操作部４２０を収納する収納部４３１（図４（ｂ）参照）を備えている。
【００８９】
そして、入力操作部４０（４０ａ）は、第１状態のときに、第１操作部４１０及び第２操作部４２０が１枚の操作パネルの如く構成するように配置され、第２状態のときに、第２操作部４２０が収納部４３１に収納される構成とされている。
【００９０】
詳しくは、収納部４３１は、第２操作部４２０が第１操作部４１０に対して重なった状態で収まる程度の戸袋状の収納室４３１ａを有している。
【００９１】
入力操作部４０（４０ａ）は、収納部４３１における左右方向Ｙ及び厚み方向Ｖの双方に直交する幅方向（図４及び図５中の矢印Ｗ）の両端部に設けられて左右方向Ｙを含む方向に沿って第２操作部４２０を案内する案内部４４０（図５（ｂ）参照）と、第２操作部４２０における幅方向Ｗの両端部に設けられて案内部４４０に沿って摺動される摺動部４５０（図５（ａ）参照）とをさらに備えている。
【００９２】
案内部４４０は、幅方向Ｗの両端部において表側にそれぞれ設けられた第１及び第２スライド溝（４４１，４４１），（４４２，４４２）と、幅方向Ｗの両端部において裏側にそれぞれ設けられた第３スライド溝４４３，４４３と、第１スライド溝４４１，４４１及び第３スライド溝４４３，４４３を連通する第４スライド溝４４４，４４４と、第２スライド溝４４２，４４２及び第３スライド溝４４３，４４３を連通する第５スライド溝４４５，４４５とを有している。案内部４４０は、例えば、樹脂材料で構成することができる。
【００９３】
第１スライド溝４４１，４４１は、左右方向Ｙの他方側Ｙ２（収納部４３１の開口４３１ａ側、ここでは左側）端部において左右方向Ｙに延びている。第２スライド溝４４２，４４２は、左右方向Ｙの他方側Ｙ２（ここでは左側）端部の第１スライド溝４４１，４４１よりも左右方向Ｙの一方側Ｙ１（内側）の近傍において左右方向Ｙに延びている。第３スライド溝４４３，４４３は、左右方向Ｙの一端部と他端部との間で延びている。第４スライド溝４４４，４４４は、厚み方向Ｖに延びており、第１スライド溝４４１，４４１における左右方向Ｙの他方側Ｙ２（ここでは左側）端部と第３スライド溝４４３，４４３における左右方向Ｙの他方側Ｙ２（ここでは左側）端部とを連通する。第５スライド溝４４５，４４５は、厚み方向Ｖに延びており、第２スライド溝４４２，４４２における左右方向Ｙの他方側Ｙ２（ここでは左側）端部と第３スライド溝４４３，４４３とを連通する。
【００９４】
摺動部４５０は、第２操作部４２０の幅方向Ｗの両端面４２０ｃ，４２０ｃにおいて左右方向Ｙにおける一方側Ｙ１（ここでは右側）端部に設けられて両端面４２０ｃ，４２０ｃの２箇所から外側に突出した第１及び第２摺動ピン（４５１，４５１），（４５２，４５２）を備えている。
【００９５】
詳しくは、第１及び第２摺動ピン（４５１，４５１），（４５２，４５２）は、円柱状の部材とされている。第１及び第２摺動ピン４５１，４５２の径は、第１から第５スライド溝４４１〜４４５の幅と略等しい（該幅よりも若干小さい）径とされている。第１及び第２摺動ピン４５１，４５２は、例えば、金属材料で構成することができる。
【００９６】
第１摺動ピン４５１，４５１と第２摺動ピン４５２，４５２との間のピッチは、第４及び第５スライド溝（４４４，４４４），（４４５，４４５）と同じピッチとされている。第１及び第２スライド溝（４４１，４４１），（４４２，４４２）の左右方向Ｙにおける一方側Ｙ１（ここでは右側）端の位置は、第１状態のときに位置する第１及び第２摺動ピン（４５１，４５１），（４５２，４５２）の左右方向Ｙにおける一方側Ｙ１（ここでは右側）端の位置とされている。第１スライド溝４４１，４４１及び第２スライド溝４４２，４４２は左右方向Ｙに沿った同一直線状に位置している。また、第１摺動ピン４５１，４５１及び第２摺動ピン４５２，４５２も左右方向Ｙに沿った同一直線状に位置している。
【００９７】
また、第３スライド溝４４３，４４３の左右方向Ｙにおける一方側Ｙ１（ここでは右側）端の位置は、第２状態のときに位置する第２摺動ピン４５２，４５２の左右方向Ｙにおける一方側Ｙ１（ここでは右側）端の位置とされている。
【００９８】
すなわち、第１及び第２摺動ピン（４５１，４５１），（４５２，４５２）は、第１状態のときに第１及び第２スライド溝（４４１，４４１），（４４２，４４２）の左右方向Ｙにおける一方側Ｙ１（ここでは右側）端部にそれぞれ位置し、かつ、第２摺動ピン４５２，４５２は、第２状態のときに第３スライド溝４４３，４４３の左右方向Ｙにおける一方側Ｙ１（ここでは右側）端部に位置する構成とされている。
【００９９】
かかる構成を備えた入力操作部４０（４０ａ）では、第１状態から第２状態に移行するときには、第１及び第２摺動ピン（４５１，４５１），（４５２，４５２）がそれぞれ第１及び第２スライド溝（４４１，４４１），（４４２，４４２）における左右方向Ｙの一方側Ｙ１（ここでは右側）端部から第１及び第２スライド溝４４１，４４２によって他方側Ｙ２（ここでは左側）端部へ案内されて、第４及び第５スライド溝（４４４，４４４），（４４５，４４５）の厚み方向Ｖの表側から裏側に案内された後、さらに第３スライド溝４４３，４４３における左右方向Ｙの他方側Ｙ２（ここでは左側）端部から一方側Ｙ１（ここでは右側）端部へ第３スライド溝４４３，４４３によって案内される。一方、第２状態から第１状態に移行するときには、第１及び第２摺動ピン（４５１，４５１），（４５２，４５２）がそれぞれ第３スライド溝４４３，４４３における左右方向Ｙの一方側Ｙ１（ここでは右側）端部から他方側Ｙ２（ここでは左側）端部へ第３スライド溝４４３，４４３によって案内されて、第４及び第５スライド溝（４４４，４４４），（４４５，４４５）の厚み方向Ｖの裏側から表側に案内された後、さらに第１及び第２スライド溝（４４１，４４１），（４４２，４４２）における左右方向Ｙの他方側Ｙ２（ここでは左側）端部から一方側Ｙ１（ここでは右側）端部へ第１及び第２スライド溝（４４１，４４１），（４４２，４４２）によって案内される。
【０１００】
第１実施形態では、第１操作部４１０は、左右方向Ｙの他方側Ｙ２（ここでは左側）の端部が底面から視てＬ字状に形成されており、第２操作部４２０は、左右方向Ｙの一方側Ｙ１（ここでは右側）の端部が底面から視て第１操作部４１０のＬ字状部分を１８０°回転させたような形状のＬ字状に形成されている。第１操作部４１０及び第２操作部４２０は、第１状態において、Ｌ字状部分が重ねられることで、１枚の操作パネルの如く構成するようになっている。
【０１０１】
詳しくは、第１操作部４１０及び第２操作部４２０は、それぞれ、Ｌ字状部分を構成する第１及び第２突出部４１２，４２２を有している。第１突出部４１２は、左右方向Ｙの他方側Ｙ２（ここでは左側）端部において表側で左右方向Ｙの他方側Ｙ２へ突出している。第２突出部４２２は、左右方向Ｙの一方側Ｙ１（ここでは右側）端部において裏側で左右方向Ｙの一方側Ｙ１へ突出している。第２突出部４２２の厚み方向Ｖの厚みは、ここでは、第１突出部４１２の厚み方向Ｖの厚みよりも大きくなっている。
【０１０２】
第１実施形態では、入力操作部４０（４０ａ）は、第２操作部４２０の第１操作部４１０に対する第１状態及び第２状態を保持するロック構造４６０（図５（ｂ）及び図５（ｃ）参照）を有している。
【０１０３】
ロック構造４６０は、第２操作部４２０の第１操作部４１０に対する第１状態をロックする第１ロック部４６１（図５（ｃ）参照）と、第２操作部４２０の第１操作部４１０に対する第２状態をロックする第２ロック部４６２（図５（ｃ）参照）とを含んでいる。
【０１０４】
詳しくは、第１ロック部４６１は、第１状態のときに第２操作部４２０の左右方向Ｙの他方側Ｙ２（ここでは左側）への移動を規制する第１規制部として作用する第１及び第２係止部（４６１ａ，４６１ａ），（４６１ｂ，４６１ｂ）を備えている。また、第２ロック部４６２は、第２状態のときに第２操作部４２０の左右方向Ｙの他方側Ｙ２（ここでは左側）への移動を規制する第２規制部として作用する第３係止部４６２ａを備えている。
【０１０５】
具体的には、第１及び第２係止部（４６１ａ，４６１ａ），（４６１ｂ，４６１ｂ）は、第１及び第２スライド溝（４４１，４４１），（４４２，４４２）の左右方向Ｙにおける一方側Ｙ１（ここでは右側）端部において、第１及び第２摺動ピン（４５１，４５１），（４５２，４５２）をそれぞれ離脱可能に係止する構成とされている。
【０１０６】
第１係止部４６１ａ，４６１ａは、ここでは、第１スライド溝４４１，４４１の厚み方向Ｖにおける両側の内側面から厚み方向Ｖの内側にそれぞれ突出した突出部とされている。第２係止部４６１ｂ，４６１ｂは、ここでは、第２スライド溝４４２，４４２の厚み方向Ｖにおける両側の内側面から厚み方向Ｖの内側にそれぞれ突出した突出部とされている。
【０１０７】
そして、第１及び第２係止部（４６１ａ，４６１ａ），（４６１ｂ，４６１ｂ）は、第１及び第２摺動ピン（４５１，４５１），（４５２，４５２）が第１及び第２スライド溝（４４１，４１１），（４４２，４４２）の左右方向Ｙにおける一方側Ｙ１（ここでは右側）に移行するときに、第１及び第２係止部（４６１ａ，４６１ａ），（４６１ｂ，４６１ｂ）が弾性変形して一方側Ｙ１（ここでは右側）端部に嵌着される一方、該嵌着状態において、第１及び第２スライド溝（４４１，４１１），（４４２，４４２）の左右方向Ｙにおける他方側Ｙ２（ここでは左側）に移行するときに、第１及び第２係止部（４６１ａ，４６１ａ），（４６１ｂ，４６１ｂ）が弾性変形して一方側Ｙ１（ここでは右側）端部から離脱するようになっている。
【０１０８】
また、第３係止部４６２ａは、第３スライド溝４４３，４４３の左右方向Ｙにおける一方側Ｙ１（ここでは右側）端部において、第２摺動ピン４５２，４５２を離脱可能に係止する構成とされている。
【０１０９】
第３係止部４６２ａは、ここでは、第３スライド溝４４３の厚み方向Ｖにおける両側の内側面から厚み方向Ｖの内側にそれぞれ突出した突出部とされている。
【０１１０】
そして、第３係止部４６２ａ，４６２ａは、第２摺動ピン４５２，４５２が第３スライド溝４４３の左右方向Ｙにおける一方側Ｙ１（ここでは右側）に移行するときに、第３係止部４６２ａ，４６２ａが弾性変形して一方側Ｙ１（ここでは右側）端部に嵌着される一方、該嵌着状態において、第３スライド溝４４３，４４３の左右方向Ｙにおける他方側Ｙ２（ここでは左側）に移行するときに、第３係止部４６２ａ，４６２ａが弾性変形して一方側Ｙ１（ここでは右側）端部から離脱するようになっている。
【０１１１】
第１実施形態では、入力操作部４０（４０ａ）は、第２操作部４２０に設けられて第２操作部４２０を移動させるときに操作者によって把持される把持部４７０（図５（ｂ）参照）を有している。
【０１１２】
把持部４７０は、第２操作部４２０の裏面４２０ｂにおいて左右方向Ｙにおける他方側Ｙ２（ここでは左側）端部に設けられている。把持部４７０は、ここでは、裏面４２０ｂから突出した凸部４７１と、凸部４７１の左右方向Ｙにおける一方側Ｙ１（ここでは右側）に隣接して設けられた凹部４７２とを有している。
【０１１３】
かかる構成を備えた入力操作部４０ａでは、第１状態から第２状態に移行するときには、操作者により凹部４７２が把持されて第２操作部４２０が左右方向Ｙにおける他方側Ｙ２（ここでは左側）に引き操作された後、厚み方向Ｖの裏側に移行して、さらに、操作者により凸部４７１が把持されて第２操作部４２０が左右方向Ｙにおける一方側（ここでは右側）に押し込まれて収納部４３１に収納される。また、第２状態から第１状態に移行するときには、操作者により凹部４７２が把持されて第２操作部４２０が左右方向Ｙにおける他方側Ｙ２（ここでは左側）に引っ張られて収納部４３１から引き出された後、厚み方向Ｖの表側に移行して、さらに、操作者により凸部４７１が把持されて第２操作部４２０が左右方向Ｙにおける一方側Ｙ１（ここでは右側）に押し込まれる。
【０１１４】
なお、図５（ｂ）に示す第１及び第２検知部４３，４４は、入力操作部４０（４０ａ）の第１及び第２状態を検知するものである。これについては後ほど詳述する。
【０１１５】
（第２実施形態）
図６は、第２実施形態に係る入力操作部４０（４０ｂ）を示す概略構成図である。図６（ａ）は、第２状態での入力操作部４０（４０ｂ）の正面図であり、図６（ｂ）は、第２状態での入力操作部４０（４０ｂ）の平面図である。なお、第２実施形態に係る入力操作部４０（４０ｂ）は、収納部４３１を設けていない操作部支持部材４３０を備えているが、図６において、操作部支持部材４３０は、図示を省略している。
【０１１６】
また、図７は、第２実施形態に係る入力操作部４０（４０ｂ）の第２操作部４２０を第１操作部４１０に対してスライドさせるスライド部材５３０を示す概略構成図である。図７（ａ）は、スライド部材５３０部分αを拡大して示す底面図であり、図７（ｂ）は、スライド部材５３０におけるロック構造５６０部分を一つの図で示す断面図であり、図７（ｃ）は、スライド部材５３０を示す側面図である。
【０１１７】
なお、第２実施形態において、第１実施形態と実質上同様の構成については同一符号を付している。
【０１１８】
入力操作部４０（４０ｂ）は、第２操作部４２０が第１操作部４１０に対して左右方向Ｙに直交する幅方向Ｗにスライド移動する構成とされている。
【０１１９】
詳しくは、第２操作部４２０は、第１操作部４１０の左右方向Ｙの何れか一方側Ｙ２（ここでは左側）の位置で幅方向Ｗにおける両側面４２０ｃ，４２０ｃが第１状態のときに第１操作部４１０の幅方向Ｗにおける両側面４１０ｃ，４１０ｃと揃っている。また、第２操作部４２０は、両側面４２０ｃ，４２０ｃが第２状態のときに第１操作部４１０の両側面４１０ｃ，４１０ｃに対して幅方向Ｗの一方側（ここでは上側）にずれる構成とされている。
【０１２０】
具体的には、入力操作部４０（４０ｂ）は、第１操作部４１０に対して第２操作部４２０を幅方向Ｗにスライド移動させるスライド部材５３０（具体的にはスライドレール）を備えている。
【０１２１】
スライド部材５３０は、３段スライド構成とされている。詳しくは、スライド部材５３０は、第１操作部４１０の左右方向Ｙの他方側Ｙ２（ここでは左側）のＬ字部端面４１０ｆに設けられた第１スライド部５３１（図７参照）と、第２操作部４２０の左右方向Ｙの一方側Ｙ１（ここでは右側）の端面４２０ｄに設けられた第２スライド部５３２（図７参照）と、第１及び第２スライド部５３１，５３２に対して幅方向Ｗに往復移動自在とされる中間スライド部５３３（図７参照）とを備えている。
【０１２２】
スライド部材５３０は、第１及び第２スライド部５３１，５３２並びに中間スライド部５３３が互いに幅方向Ｗの一方側Ｗ１（ここでは上側）又は他方側Ｗ２（ここでは下側）に移動される。なお、図６（ａ）に示すように、幅方向Ｗの一方側Ｗ１は、第１状態から第２状態に移行する方向であり、幅方向Ｗの他方側Ｗ１は、第２状態から第１状態に移行する方向である。
【０１２３】
そして、スライド部材５３０は、第１状態では第２操作部４２０の両側面４２０ｃ，４２０ｃが第１操作部４１０の両側面４１０ｃ，４１０ｃに揃った位置で停止する一方、第２状態では第２操作部４２０の両側面４２０ｃ，４２０ｃが第１操作部４１０の両側面４１０ｃ，４１０ｃとは幅方向Ｗの一方側（ここでは上側）にずれた所定の位置で停止する構成とされている（図６（ａ）参照）。
【０１２４】
なお、第２状態での第２操作部４２０の両側面４２０ｃ，４２０ｃが第１操作部４１０の両側面４１０ｃ，４１０ｃとは幅方向Ｗの一方側（ここでは上側）にずれた所定の位置は、ここでは、第２表示部４２１（表示画面）における幅方向Ｗの他方側Ｗ２（ここでは下側）端４２１ａが第１表示部４１１（表示画面）における幅方向Ｗの一方側Ｗ１（ここでは上側）端４１１ａよりも上方にある位置とされている。
【０１２５】
かかる構成を備えた入力操作部４０（４０ｂ）では、第１状態から第２状態に移行するときには、第２スライド部５３２が第１スライド部５３１に対して幅方向Ｗの一方側Ｗ１（ここでは上側）に移動する。一方、第２状態から第１状態に移行するときには、第２スライド部５３２が第１スライド部５３１に対して幅方向Ｗの他方側Ｗ２（ここでは下側）に移動する。
【０１２６】
入力操作部４０（４０ｂ）は、第２操作部４２０の表面４２０ａと第１操作部４１０の表面４１０ａとが揃っている（図６（ｂ）参照）。
【０１２７】
第２実施形態では、第１操作部４１０は、左右方向Ｙの他方側Ｙ２（ここでは左側）の端部が底面から視てＬ字状に形成されている（図６（ｂ）参照）。
【０１２８】
詳しくは、第１操作部４１０は、Ｌ字状部分を構成する突出部４１３を有している。突出部４１３は、左右方向Ｙの他方側Ｙ２（ここでは左側）端部において表側で左右方向Ｙの他方側Ｙ２へ突出している。そして、第１操作部４１０におけるＬ字状の角部内面４１０ｇ（図７（ａ）及び図７（ｂ）参照）と第１操作部４１０における左右方向Ｙの他方側Ｙ２（ここでは左側）のＬ字部端面４１０ｆと第２操作部４２０における左右方向Ｙの一方側Ｙ１（ここでは右側）の端面４２０ｄとで挟まれた空間に、スライド部材５３０が配設されている。第２操作部４２０における左右方向Ｙの一方側Ｙ１の端面４２０ｄと、第１操作部４１０における左右方向Ｙの他方側Ｙ２の端面４１０ｅとは、互いに近接又は接触（ここでは近接）している。
【０１２９】
第２実施形態では、入力操作部４０（４０ｂ）は、第２操作部４２０の第１操作部４１０に対する第１状態及び第２状態を保持するロック構造５６０を有している。
【０１３０】
ロック構造５６０は、第２操作部４２０の第１操作部４１０に対する第１及び第２状態をそれぞれロックする第１及び第２ロック部５６１，５６２（図７（ｂ）参照）を含んでいる。
【０１３１】
詳しくは、第１ロック部５６１は、第１状態のときに第２操作部４２０の幅方向Ｗの一方側Ｗ１（ここでは上側）への移動を規制する第１規制部を構成する共通係合部５６０ａ、第１係合部５６１ａ、第３係合部５６３ａ及びロック係止部５６０ｂを備えている。また、第２ロック部５６２は、第２状態のときに第２操作部４２０の幅方向Ｗの他方側Ｗ２（ここでは下側）への移動を規制する第２規制部を構成する共通係合部５６０ａ、第２係合部５６２ａ、第４係合部５６４ａ及びロック係止部５６０ｂを備えている。
【０１３２】
共通係止部５６０ａは、ここでは、第１スライド部５３１に設けられて左右方向Ｙに沿って貫通した貫通孔とされている。第１及び第２係合部５６１ａ，５６２ａは、ここでは第２スライド部５３２に設けられて幅方向Ｗにおける異なった位置で左右方向Ｙに沿って貫通した貫通孔とされている。第３及び第４係合部５６３ａ，５６４ａは、ここでは中間スライド部５３３に設けられて幅方向Ｗにおける異なった位置で左右方向Ｙに沿って貫通した貫通孔とされている。そして、共通係合部５６０ａ、第３係合部５６３ａ及び第１係合部５６１ａは、第１状態のときに左右方向Ｙに沿って貫通する構成されており、共通係合部５６０ａ、第４係合部５６４ａ及び第２係合部５６２ａは、第２状態のときに左右方向Ｙに沿って貫通する構成とされている。また、ロック係止部５６０ｂは、ここでは、第１状態では共通係合部５６０ａ、第３係合部５６３ａ及び第１係合部５６１ａに挿通され、かつ、第２状態では共通係合部５６０ａ、第４係合部５６４ａ及び第２係合部５６２ａに挿通される固定部材（具体的には固定ピン）とされている。
【０１３３】
具体的には、共通係合部５６０ａは、第１スライド部５３１の幅方向Ｗの一方側Ｗ１（ここでは上側）端部に設けられている。第１係合部５６１ａは、第２スライド部５３２の幅方向Ｗの一方側Ｗ１（ここでは上側）端部に設けられている。第２係合部５６２ａは、第２スライド部５３２の幅方向Ｗの他方側Ｗ２（ここでは下側）端部に設けられている。第３係合部５６３ａは、中間スライド部５３３の幅方向Ｗの一方側Ｗ１（ここでは上側）端部に設けられている。第４係合部５６４ａは、中間スライド部５３３の幅方向Ｗの中央部に設けられている。そして、共通係合部５６０ａ、第３係合部５６３ａ及び第１係合部５６１ａは、第１及び第２スライド部５３１，５３２が畳まれて全長が最小のとき（第１状態のとき）に左右方向Ｙで互いに一致する構成とされている。共通係合部５６０ａ、第４係合部５６４ａ及び第２係合部５６２ａは、第１及び第２スライド部５３１，５３２が伸ばされて全長が最大のとき（第２状態のとき）に左右方向Ｙで互いに一致する構成とされている。
【０１３４】
ロック係止部５６０ｂは、左右方向Ｙに沿った棒状部材とされており、第１操作部４１０の幅方向Ｗの一方側Ｗ１（ここでは上側）端部において左右方向Ｙの他方側Ｙ２（ここでは左側）に左右方向Ｙに沿って往復移動自在に設けられている。また、ロック係止部５６０ｂは、第１操作部４１０の幅方向Ｗの一方側Ｗ１（ここでは上側）端面４１０ｃにおいて左右方向Ｙに往復移動自在に露出したレバー部材５６０ｃ（図６（ｂ）及び図７参照）が連結されており、レバー部材５６０ｃが左右方向Ｙの一方側Ｙ１（ここでは右側）に移動すると、第１及び第２スライド部５３１，５３２のロックを解除するようになっている。
【０１３５】
本実施の形態では、ロック構造５６０は、さらに、ロック係止部５６０ｂを左右方向Ｙの他方側Ｙ２（ここでは左側）へ付勢する付勢部材（具体的には巻きバネ）５６３を備えている。こうすることで、第１状態で共通係合部５６０ａと第３係合部５６３ａと第１係合部５６１ａとが一致すると、操作者がレバー部材５６０ｃを操作しなくても付勢部材５６３によりロック係止部５６０ｂが第１状態で共通係合部５６０ａ、第３係合部５６３ａ及び第１係合部５６１ａに挿通される。また、第２状態で共通係合部５６０ａと第４係合部５６４ａと第２係合部５６２ａとが一致すると、操作者がレバー部材５６０ｃを操作しなくても付勢部材５６２によりロック係止部５６０ｂが共通係合部５６０ａ、第４係合部５６４ａ及び第２係合部５６２ａに挿通される。また、操作者がレバー部材５６０ｃを操作して第１状態での共通係合部５６０ａ、第３係合部５６３ａ及び第１係合部５６１ａ又は第２状態での共通係合部５６０ａ、第４係合部５６４ａ及び第２係合部５６２ａから抜き去ることで、入力操作部４０（４０ｂ）を第１状態から第２状態へ又は第２状態から第１状態へ移行させることができる。
【０１３６】
付勢部材５６３は、ここでは、一端部が入力操作部４０（４０ｂ）の本体フレームＦに接続され、かつ、他端部がロック係止部５６０ｂの左右方向Ｙの基端部に接続されている。
【０１３７】
なお、図６（ａ）に示す第１及び第２検知部４３，４４は、入力操作部４０（４０ｂ）の第１及び第２状態を検知するものである。これについては後ほど詳述する。
【０１３８】
（第１及び第２表示部の表示内容について）
次に、第１及び第２実施形態において、第１状態及び第２状態での第１表示部４１１及び第２表示部４２１の表示内容について以下に説明する。
【０１３９】
図８は、図１に示す画像形成装置１００における制御部５０の表示制御の一例を中心に示すシステムブロック図である。
【０１４０】
制御部５０は、画像形成装置１００全体の制御を行うものであり、ＣＰＵ（Central Processing Unit）等の処理部５０ａと、ＲＯＭ（Read Only Memory）、ＲＡＭ（Random Access Memory）及び書き換え可能な不揮発性メモリを含む記憶部５０ｂとを備えている。ＲＯＭは、処理装置５０ａが実行する処理の手順である制御プログラムを格納することができる。ＲＡＭは、作業用のワークエリアを提供することができる。不揮発性メモリは、制御に必要なデータをバックアップして保持したり、各種データを保持したり書き換えたりすることができる。
【０１４１】
制御部５０は、第１表示部４１１及び第２表示部４２１の表示制御部としての機能を有している。すなわち、第１表示部４１１及び第２表示部４２１は、制御部５０の出力系に接続されており、制御部５０からの表示データに基づいて表示画面に表示するようになっている。制御部５０は、勿論、第２状態のときに、第１状態での第１表示部の内容を第１表示部に表示し、かつ、第１状態での第２表示部の内容を第２表示部に表示してもよいが、ここでは、つぎの表示制御を行うようになっている。
【０１４２】
すなわち、入力操作部４０（４０ａ，４０ｂ）は、第１状態にあるのか或いは第２状態にあるのかを検知する第１及び第２検知部４３，４４（図４（ｂ）及び図６（ａ）も参照）を備えている。第１及び第２検知部４３，４４は、制御部５０の入力系に接続されている。具体的には、第１及び第２検知部４３，４４は、第２操作部４２０（第２実施形態では第２操作部４２０に設けられた突起部４２３（図６（ａ）参照））によって可動部４３ａ，４４ａが押し込まれているときのみオンしているプッシュスイッチとされている。第１検知部４３は、第１状態のときオンされ、第１状態以外のときにオフされるようになっている。第２検知部４４は、第２状態のときオンされ、第２状態以外のときにオフされるようになっている。
【０１４３】
第１及び第２実施形態において、第１状態の検出は、第１検知部４３の検知と第２検知部４４の検知との間の遷移状態を含んでおり、第２状態の検出は、第１検知部４３の検知と第２検知部４４の検知との間の遷移状態を含んでいる。すなわち、制御部５０は、第１検知部４３がオンし（具体的には第２操作部４２０が可動部４３ａを押し込み）、次に第２検知部４４がオンする（具体的には第２操作部４２０が可動部４４ａを押し込む）まで第１状態であることを検出し、かつ、第２検知部４４がオンし、次に第１検知部４３がオンするまで第２状態であることを検出するようになっている。なお、制御部５０は、第１検知部４３がオンのときにのみ第１状態であることを検出する一方、第２検知部４４がオンのときにのみ第２状態であることを検出してもよい。また、制御部５０は、第２検知部４４がない場合において第１検知部４３がオンのときに第１状態であることを検出する一方、第１検知部４３がオフのときに第２状態であることを検出してもよい。また、制御部５０は、第１検知部４３がない場合において第２検知部４４がオフのときに第１状態であることを検出する一方、第２検知部４４がオンのときに第２状態であることを検出するようになっていてもよい。
【０１４４】
そして、制御部５０は、第１実施形態では、第２状態のときに、第１表示部４１１及び第２表示部４２１のうち裏側に位置する表示部（ここでは第２表示部４２１）に表示される第１状態での表示内容を表側に位置する表示部（ここでは第１表示部４１１）に第１状態での表示内容と共に表示させるか或いは選択的に切り替えて表示させる構成とされている。
【０１４５】
また、制御部５０は、第２実施形態では、第２状態のときに、第２表示部４２１に表示される第１状態での表示内容を第１表示部４１１に第１状態での表示内容と共に表示させるか或いは選択的に切り替えて表示させる構成とされている。
【０１４６】
図９は、第１状態での第１表示部４１１及び第２表示部４２１の表示画面の一例を示す平面図である。
【０１４７】
図９に示す表示は、画像形成装置１００でよく使用される操作を示す操作表示或いは基本操作を示す基本操作表示（この例では基本操作表示）とされている。
【０１４８】
図９に示すように、第１状態において、第１表示部４１１の表示画面には、編集印刷を選択する設定ボタンＳＢ１と、仕上げ動作を選択する設定ボタンＳＢ２と、特別機能を選択する設定ボタンＳＢ３と、ファイリング動作を選択する設定ボタンＳＢ４と、自動一時保存を選択する設定ボタンＳＢ５とを有する第１設定部β１と、画像形成装置のイラスト画像γとが表示されている。また、第２表示部４２１の表示画面には、印刷モードを選択する設定ボタンＳＢ６と、各種設定を選択する設定ボタンＳＢ７と、画像濃度を選択する設定ボタンＳＢ８と、複写倍率を選択又は入力する設定ボタンＳＢ９とを有する第２設定部β２が表示されている。設定ボタンＳＢ１〜ＳＢ９は、画面上をタッチ操作するソフトウェアキーとして作用する。
【０１４９】
また、図１０は、第１表示部４１１の表示内容の各例を説明するための平面図である。図１０（ａ）は、第２状態での第１表示部４１１の表示画面の一例を示す図であり、図１０（ｂ）は、第２状態での第１表示部４１１の表示画面の他の例を示す図であり、図１０（ｃ）は、第２状態での第１表示部４１１の表示画面のさらに他の例を示す図あり、図１０（ｄ）は、第２状態での第２表示部４１２の表示画面の一例を示す図ある。
【０１５０】
図１０（ａ）に示すように、第１実施形態では、制御部５０は、第２状態のときに、表側に位置する表示部（ここでは第１表示部４１１）に表示される第１状態での表示内容と裏側に位置する表示部（ここでは第２表示部４２１）に表示される第１状態での表示内容とを表側に位置する表示部（ここでは第１表示部４１１）に縮小して表示させる構成とされている。第２実施形態では、制御部５０は、第２状態のときに、第１表示部４１１に表示される第１状態での表示内容と第２表示部４２１に表示される第１状態での表示内容とを第１表示部４１１に縮小して表示させる構成とされている。
【０１５１】
また、図１０（ｂ）に示すように、第１実施形態では、制御部５０は、第２状態のときに、裏側に位置する表示部（ここでは第２表示部４２１）に表示される第１状態での表示内容を表側に位置する表示部（ここでは第１表示部４１１）に表示される第１状態での表示内容の空いているスペースに縮小して表示させる構成とされている。第２実施形態では、制御部５０は、第２状態のときに、第２表示部４２１に表示される第１状態での表示内容を第１表示部４１１に表示される第１状態での表示内容の空いているスペースに縮小して表示させる構成とされている。図１０（ｂ）に示す例では、制御部５０は、第１設定部β１と画像形成装置のイラスト画像γとの間のスペースに第２設定部β２を縮小して表示させている。なお、図１０（ｂ）に示す例において、第１実施形態では、第２状態のときに、表側に位置する表示部（ここでは第１表示部４１１）に表示される第１状態での表示内容の空いているスペースに、裏側に位置する表示部（ここでは第２表示部４２１）に表示される第１状態での表示内容の一部（例えば「コピー読み込みできます。」という表示内容）を等倍のまま表示し、かつ、残りの表示内容を縮小して表示するようにしてもよい。また、第２実施形態では、第２状態のときに、第１表示部４１１に表示される第１状態での表示内容の空いているスペースに、第２表示部４２１に表示される第１状態での表示内容の一部（例えば「コピー読み込みできます。」という表示内容）を等倍のまま表示し、かつ、残りの表示内容を縮小して表示するようにしてもよい。
【０１５２】
また、図１０（ｃ）に示すように、第１実施形態では、制御部５０は、第２状態のときに、図示を省略した切り替え操作部（具体的には第１操作部４１０上のハードウェアキー或いはソフトウェアキーの切り替えボタン）によって、表側に位置する表示部（ここでは第１表示部４１１）に表示される第１状態での表示内容と裏側に位置する表示部（ここでは第２表示部４２１）に表示される第１状態での表示内容とを表側に位置する表示部（ここでは第１表示部４１１）に選択的に切り替えて表示させる構成とされている。第２実施形態では、制御部５０は、第２状態のときに、図示を省略した切り替え操作部（具体的には第１操作部４１０上のハードウェアキー或いはソフトウェアキーの切り替えボタン）によって、第１表示部４１１に表示される第１状態での表示内容と第２表示部４２１に表示される第１状態での表示内容とを第１表示部４１１に選択的に切り替えて表示させる構成とされている。なお、図１０（ｃ）に示す例において、第１実施形態では、第２状態のときに、表側に位置する表示部（ここでは第１表示部４１１）に表示される第１状態での表示内容の空いているスペースに、裏側に位置する表示部（ここでは第２表示部４２１）に表示される第１状態での表示内容の一部（例えば「コピー読み込みできます。」という表示内容）を表示するようにしてもよいし、或いは／さらに、裏側に位置する表示部（ここでは第２表示部４２１）に表示される第１状態での表示内容の空いているスペースに、表側に位置する表示部（ここでは第１表示部４１１）に表示される第１状態での表示内容の一部を表示するようにしてもよい。また、第２実施形態では、第２状態のときに、第１表示部４１１に表示される第１状態での表示内容が選択されている場合、該表示内容の空いているスペースに、第２表示部４２１に表示される第１状態での表示内容の一部（例えば「コピー読み込みできます。」という表示内容）を表示するようにしてもよいし、或いは／さらに、第２表示部４２１に表示される第１状態での表示内容が選択されている場合、該表示内容の空いているスペースに、第１表示部４１１に表示される第１状態での表示内容の一部を表示するようにしてもよい。
【０１５３】
また、図１０（ｄ）に示すように、第２実施形態では、制御部５０は、第２状態のときの第２表示部４２１に表示される表示内容を画像形成装置１００の動作状態を示す表示内容とする構成とされている。或いは／さらに、制御部５０は、第２状態のときの第２表示部４２１に表示される表示内容を第１状態のときに第１表示部４１１及び第２表示部４２１に表示されていない表示内容とする構成とされている。
【０１５４】
画像形成装置１００の動作状態を示す表示内容、及び、第１状態のときに第１表示部４１１及び第２表示部４２１に表示されていない表示内容としては、例えば、記録シートＳの詰まり（所謂ＪＡＭ）を示すＪＡＭ表示や各構成部材のトラブル等の異常検知表示や、図１０（ｄ）に例示するように、ファクシミリ受信のお知らせ表示Ｄ１、メンテメンテナンス時期の確認ランプＤ２、記録シートの有無表示Ｄ３、トナーの有無表示Ｄ４等を挙げることができる。
【０１５５】
（画像形成装置１００について）
図１１は、第１及び第２実施形態において第２状態での画像形成装置１００を説明するための図であり、図１１（ａ）及び図１１（ｂ）は、それぞれ、第１実施形態の正面図及び側面図であり、図１１（ｃ）及び図１１（ｄ）は、それぞれ、第２実施形態の正面図及び側面図である。
【０１５６】
以上説明した画像形成装置１００では、図１１に示すように、装置本体１１０の操作側から視て左右方向Ｙにおいて第１操作部４１０と第２操作部４２０とに分割された入力操作部４０（４０ａ，４０ｂ）は、第２操作部４２０が第１操作部４１０に対して位置変更されることによって、装置本体１１０の操作側から視て開口部Ｐａの少なくとも一部を遮蔽する第１状態と、開口部Ｐａの遮蔽量が第１状態の遮蔽量よりも小さくなるように開口部Ｐａの少なくとも一部を開放する第２状態とを呈する構成とされていることで、より一層の小型化、省スペース化を実現したとしても、排出部３０に排出された記録シートＳが操作者から見えにくくなったり或いは排出部３０に排出された記録シートＳが操作者によって取りづらくなったりするといった、操作者が排出部３０における記録シートＳを開口部Ｐａから取り出す際の不都合を抑制することが可能となる。しかも、左右方向Ｙの何れか一方側Ｙ２（ここでは左側）に位置する第２操作部４２０の移動により、開口部Ｐａの左右方向を開放させることができ、それだけ容易に操作者に対して記録シートＳの開口部Ｐａからの取り出し操作を行わせることが可能となる。
【０１５７】
また、入力操作部４０（４０ａ，４０ｂ）は、第２操作部４２０が第１操作部４１０に対してスライド移動する構成とされていることで、操作者に対して第２操作部４２０の第１操作部４１０に対するスライド移動操作を行わせることができ、すなわち、簡単な操作で入力操作部４０（４０ａ，４０ｂ）を第１状態又は第２状態にすることが可能となる。
【０１５８】
第１実施形態において、入力操作部４０（４０ａ）は、第２操作部４２０が第１操作部４１０に対して左右方向Ｙにスライド移動する構成とされており、第２操作部４２０は、第１操作部４１０の左右方向Ｙの何れか一方側Ｙ２（ここでは左側）の位置で第１状態のときに表面４２０ａが第１操作部４１０の表面４１０ａと揃いかつ第２状態のときに第１操作部４１０の表側或いは表側とは反対側の裏側に重なる構成とされていることで（図５（ｂ）参照）、操作者に対して第２操作部４２０の第１操作部４１０に対する左右方向Ｙのスライド移動操作を行わせることにより入力操作部４０（４０ａ）の左右方向Ｙのサイズを最大で半分にすることができる。また、第２実施形態において、入力操作部４０（４０ｂ）は、第２操作部４２０が第１操作部４１０に対して幅方向Ｗにスライド移動する構成とされており、第２操作部４２０は、第１操作部４１０の左右方向Ｙの何れか一方側Ｙ２（ここでは左側）の位置で幅方向Ｗにおける両側面４２０ｃ，４２０ｃが第１状態のときに第１操作部４１０の幅方向Ｗにおける両側面４１０ｃ，４１０ｃと揃いかつ第２状態のときに第１操作部４１０の両側面（４１０ｃ，４１０ｃ），（４２０ｃ，４２０ｃ）に対して幅方向Ｗにずれる構成とされていることで（図６（ａ）参照）、操作者に対して第２操作部４２０の第１操作部４１０に対する幅方向Ｗのスライド移動操作を行わせることにより第１操作部４１０に対して第２操作部４２０を幅方向Ｗにずらすことができる。
【０１５９】
かかる第１及び第２実施形態の構成により、開口部Ｐａの遮蔽量を小さくする或いはなくすことができ、それだけ容易に操作者に対して記録シートＳの開口部Ｐａからの取り出し操作を行わせることが可能となる。
【０１６０】
第１実施形態において、第２状態のときに、第１表示部４１１及び第２表示部４２１のうち裏側に位置する表示部（ここでは第２表示部４２１）に表示される表示内容を表側に位置する表示部（ここでは第１表示部４１１）に表示させることで（図１０参照）、第２状態のときに、第１表示部４１１及び第２表示部４２１のうち裏側に位置する第２表示部４２１が表側に位置する第１表示部４１１に隠蔽されても、裏側に位置する第２表示部４２１に表示される表示内容を表側に位置する第１表示部４１１に表示させることができ、これにより、裏側に位置する第２表示部４２１に表示される表示内容を操作者に良好に視認させることが可能となる。また、第２実施形態において、第２状態のときに、第２表示部４２１に表示される表示内容を第１表示部４１１に表示させることで（図１０参照）、第２状態のときに、操作者による第２操作部４２０の第１操作部４１０に対する幅方向Ｗのスライド移動操作により第１操作部４１０に対して第２操作部４２０を幅方向Ｗにずらしても、第２表示部４２１に表示される表示内容を第１表示部４１１に表示させることができ、これにより、第２表示部４２１に表示される表示内容を良好に操作者に視認させることが可能となる。
【０１６１】
第１及び第２実施形態において、第２状態のときに、第１表示部４１１に表示される第１状態での表示内容と第２表示部４２１に表示される第１状態での表示内容とを第１表示部４１１に縮小して表示させる構成とされていることで（図６（ａ）参照）、第１表示部４１１及び第２表示部４２１に表示される表示内容が縮小されるものの、該表示内容の配置状態を維持したままで該表示内容を操作者に視認させることが可能となる。
【０１６２】
また、第１及び第２実施形態において、第２状態のときに、第２表示部４２１に表示される第１状態での表示内容を第１表示部４１１に表示される第１状態での表示内容の空いているスペースに縮小して表示させる構成とされていることで（図６（ｂ）参照）、第１表示部４１１及び第２表示部４２１に表示される表示内容の配置状態が変更されるものの、第１表示部４１１に表示される表示内容の空いているスペースを利用して第１表示部４１１及び第２表示部４２１に表示される表示内容の大きさを維持したままで該表示内容を操作者に視認させることが可能となる。
【０１６３】
また、第１及び第２実施形態において、第２状態のときに、第１表示部４１１に表示される第１状態での表示内容と第２表示部４２１に表示される第１状態での表示内容とを第１表示部４１１に選択的に切り替えて表示させる構成とされていることで（図６（ｃ）参照）、第１表示部４１１に表示される表示内容と第２表示部４２１に表示される表示内容とを切り替える切り替え操作が必要となるものの、第１表示部４１１及び第２表示部４２１に表示される表示内容の大きさを維持したままで該表示内容を操作者に視認させることが可能となる。
【０１６４】
第２実施形態において、第２状態のときの第２表示部４２１に表示される表示内容を画像形成装置１００の動作状態を示す表示内容とすることで、第２状態のときに画像形成装置１００の動作状態を操作者に視認させることが可能となる。また、第２実施形態において、第２状態のときの第２表示部４２１に表示される表示内容を第１状態のときに第１表示部４１１及び第２表示部４２１に表示されていない表示内容とすることで、第２状態のときに第１表示部４１１及び第２表示部４２１に表示されていない表示内容を操作者に報知することが可能となる。
【０１６５】
また、第１及び第２実施形態において、入力操作部４０（４０ａ，４０ｂ）は、第２状態のときに開口部Ｐａを装置本体１１０の操作側から視て全開放する構成とされていることで（図１１（ａ）及び図１１（ｃ）参照）、入力操作部４０（４０ａ，４０ｂ）に邪魔されることなく、操作者に対して排出部３０における記録シートＳの開口部Ｐａからの取り出し操作を行わせることが可能となる。
【０１６６】
また、第１及び第２実施形態において、入力操作部４０（４０ａ，４０ｂ）は、第２操作部４２０の第１操作部４１０に対する第１状態及び第２状態を保持するロック構造４６０，５６０を有していることで、第１操作部４１０に対する第２操作部４２０の第１状態及び第２状態をロックした状態で操作者に対して入力操作部４０（４０ａ，４０ｂ）への操作を確実に行わせることが可能となる。
【０１６７】
また、第１及び第２実施形態において、装置本体１１０に設けられた第１操作部４１０がハードウェアキー４１ａ，…を備えていることから、ハードウェアキー４１ａ，…による安定した入力操作を実現することが可能となる。
【０１６８】
また、第１及び第２実施形態において、第１操作部４１０は、装置本体１１０に対して位置変更する構成とされていることで、開口部Ｐａに対する入力操作部４０（４０ａ，４０ｂ）の位置関係を変更することができ、それだけ入力操作部４０（４０ａ，４０ｂ）に対する開口部Ｐａの遮蔽量を少なくする或いはなくすことが可能となる。
【符号の説明】
【０１６９】
１０            画像読取部
２０            画像形成部
３０            排出部
４０（４０ａ）  入力操作部
４０（４０ｂ）  入力操作部
４１ａ，…      ハードウェアキー
５０            制御部
６０            給紙部
７０            搬送経路
１００          画像形成装置
１１０          装置本体
４１０          第１操作部
４１０ａ        表面
４１０ｂ        裏面
４１０ｃ        両側面
４１１          第１表示部
４２０          第２操作部
４２０ａ        表面
４２０ｂ        裏面
４２０ｃ        両側面
４２１          第２表示部
４６０          ロック構造
５６０          ロック構造
Ｇ              原稿
Ｐ              空間
Ｐａ            開口部
Ｓ              記録シート
Ｖ              厚み方向
Ｗ              幅方向
Ｘ              奥行き方向
Ｙ              左右方向
Ｚ              上下方向
【図１】
2013125258.tif 000003
【図２】
2013125258.tif 000004
【図３】
2013125258.tif 000005
【図４】
2013125258.tif 000006
【図５】
2013125258.tif 000007
【図６】
2013125258.tif 000008
【図７】
2013125258.tif 000009
【図８】
2013125258.tif 000010
【図９】
2013125258.tif 000011
【図１０】
2013125258.tif 000012
【図１１】
2013125258.tif 000013